【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
音声信号を処理するための方法において、
第１の人物に対する聴力検査結果に基づく聴力測定参照プロファイルを受信し、前記聴力測定参照プロファイルは、前記第１の人物の異なる周波数における聴覚感度を特徴付けることと、
前記第１の人物は、音楽、または、ビデオコンテンツに対する音声トラック、のうちの少なくとも１つを含む録音の編集者であるという表示をリスナに提供することと、
前記第１の人物とは異なる第２の人物に対する聴力検査結果に基づく聴力測定リスナプロファイルを受信し、前記聴力測定リスナプロファイルは、前記第２の人物の異なる周波数における聴覚感度を特徴付け、前記第２の人物は前記リスナであることと、
前記表示を提供することによって、前記第１の人物によって編集されているものとして示された、前記録音の符号化された入力音声信号を信号プロセッサに提供することと、
前記聴力測定参照プロファイルと前記聴力測定リスナプロファイルとの間の聴力測定差異に基づいて、前記信号プロセッサを使用して、前記入力音声信号を出力音声信号に変換し、前記出力音声信号が前記聴力測定差異を補償し、前記第２の人物が、前記録音の編集者として示される前記第１の人物により近く、音楽または音声トラックのうちの前記少なくとも１つを知覚することを可能にすることとを含む方法。
【請求項２】
前記入力音声信号を変換することは、前記聴力測定参照プロファイルおよび前記聴力測定リスナプロファイルの１つ以上の周波数における前記聴力測定差異に比例して、前記入力音声信号の対応する１つ以上の周波数を変更することを含む請求項１記載の方法。
【請求項３】
前記第１の人物に対する聴力検査結果に基づいて、前記聴力測定参照プロファイルを発生させることをさらに含む請求項１記載の方法。
【請求項４】
前記第２の人物に対する聴力検査結果に基づいて、前記聴力測定リスナプロファイルを発生させることをさらに含む請求項３記載の方法。
【請求項５】
前記変換することは、前記第１の人物が前記第２の人物よりも音に敏感であることを前記聴力測定差異が示す１つ以上の周波数において、入力信号を増大させることと、前記第１の人物が前記第２の人物ほど音に敏感ではないことを前記聴力測定差異が示す１つ以上の周波数において、前記入力信号を減衰させることとによって、出力信号を発生させることをさらに含む請求項４記載の方法。
【請求項６】
前記入力信号を増大させることは、音声スペクトルの定義された周波数帯域部分にわたって前記信号の振幅を増加させることを含む請求項５記載の方法。
【請求項７】
前記出力音声信号は、オーディオプレイヤデバイスによって再生され第２の人物によって聴取されるときに、前記第２の人物の聴取経験が、前記出力音声信号から発生される音に対して、前記第１の人物に対する聴取経験により近くなるように構成されている請求項４記載の方法。
【請求項８】
前記聴力測定リスナプロファイルがリスナの群に対する総計基準を表すように、一般集団のサンプルに対する聴力測定データに基づいて、前記聴力測定リスナプロファイルを発生させることをさらに含む請求項３記載の方法。
【請求項９】
前記入力音声信号を変換することは、前記聴力測定参照プロファイルおよび前記聴力測定リスナプロファイルの１つ以上の時間における前記聴力測定差異に比例して、前記入力音声信号の対応する１つ以上の時間における音声信号の位相を変更することを含む請求項１記載の方法。
【請求項１０】
前記位相を変更することは、前記音声信号によって符号化された音が生じる時間を変化させるように、前記音声信号の定義されたサブバンドに対して実行される請求項９記載の方法。
【請求項１１】
前記聴力測定参照プロファイルは、前記第１の人物の異なる周波数における知覚時間差をさらに特徴付け、
前記聴力測定リスナプロファイルは、前記第２の人物の異なる周波数における知覚時間差をさらに特徴付ける請求項１記載の方法。
【請求項１２】
装置において、
第１の人物に対する聴力検査結果に基づく聴力測定参照プロファイルを受信し、前記聴力測定参照プロファイルは、前記第１の人物の異なる周波数における聴覚感度を特徴付けるようにと、
前記第１の人物は、音楽、または、ビデオコンテンツに対する音声トラック、のうちの少なくとも１つを含む録音の編集者であるという表示をリスナに提供するようにと、
前記第１の人物とは異なる第２の人物に対する聴力検査結果に基づく聴力測定リスナプロファイルを受信し、前記聴力測定リスナプロファイルは、前記第２の人物の異なる周波数における聴覚感度を特徴付け、前記第２の人物は前記リスナであるようにと、
前記表示を提供することによって、前記第１の人物によって編集されているものとして示された、前記録音の符号化された入力音声信号を受信するようにと、
前記聴力測定参照プロファイルと前記聴力測定リスナプロファイルとの間の聴力測定差異に基づいて、前記入力音声信号を出力音声信号に変換し、前記出力音声信号が前記聴力測定差異を補償し、前記第２の人物が、前記録音の編集者として示される前記第１の人物により近く、音楽または音声トラックのうちの前記少なくとも１つを知覚することを可能にするように構成されている少なくとも１つのプロセッサと、
前記少なくとも１つのプロセッサに結合され、データを記憶するメモリとを具備する装置。
【請求項１３】
前記プロセッサは、前記聴力測定参照プロファイルおよび前記聴力測定リスナプロファイルの１つ以上の周波数における前記聴力測定差異に比例して、前記入力音声信号の対応する１つ以上の周波数を変更することによって、前記入力音声信号を変換するようにさらに構成されている請求項１２記載の装置。
【請求項１４】
前記プロセッサは、前記第１の人物に対する聴力検査結果に基づいて、前記聴力測定参照プロファイルを発生させるようにさらに構成されている請求項１２記載の装置。
【請求項１５】
前記プロセッサは、前記第２の人物に対する聴力検査結果に基づいて、前記聴力測定リスナプロファイルを発生させるようにさらに構成されている請求項１４記載の装置。
【請求項１６】
前記プロセッサは、前記第１の人物が前記第２の人物よりも音に敏感であることを前記聴力測定差異が示す１つ以上の周波数において、入力信号を増大させることと、前記第１の人物が前記第２の人物ほど音に敏感ではないことを前記聴力測定差異が示す１つ以上の周波数において、前記入力信号を減衰させることとによって、前記入力音声信号を前記出力音声信号に変換するようにさらに構成されている請求項１５記載の装置。
【請求項１７】
前記プロセッサは、音声スペクトルの定義された周波数帯域部分にわたって前記信号の振幅を増加させることによって、前記入力信号を増大させるようにさらに構成されている請求項１６記載の装置。
【請求項１８】
前記プロセッサは、前記第１の人物によって編集されているものとして、前記符号化された入力音声信号が示されることを決定するようにさらに構成されている請求項１５記載の装置。
【請求項１９】
前記プロセッサは、第２の人物に対して前記出力音声信号を再生するようにさらに構成されており、それにより、前記第２の人物の第２の聴取経験が、前記出力音声信号から発生される音に対して、前記第１の人物に対する第１の聴取経験により近くなる請求項１５記載の装置。
【請求項２０】
前記プロセッサは、前記聴力測定リスナプロファイルがリスナの群に対する総計基準を表すように、一般集団のサンプルに対する聴力測定データに基づいて、前記聴力測定リスナプロファイルを発生させるようにさらに構成されている請求項１２記載の装置。
【請求項２１】
前記プロセッサは、前記聴力測定参照プロファイルおよび前記聴力測定リスナプロファイルの１つ以上の時間における前記聴力測定差異に比例して、前記入力音声信号の対応する１つ以上の時間における音声信号の位相を変更することによって、前記入力音声信号を変換するようにさらに構成されている請求項１２記載の装置。
【請求項２２】
前記プロセッサは、前記音声信号によって符号化された音が生じる時間を変化させるように、前記音声信号の定義されたサブバンドに対して前記位相を変更するようにさらに構成されている請求項２１記載の装置。
【請求項２３】
前記プロセッサは、前記第１の人物の異なる周波数における知覚時間差をさらに特徴付ける前記聴力測定参照プロファイルと、前記第２の人物の異なる周波数における知覚時間差をさらに特徴付ける前記聴力測定リスナプロファイルとを受信するようにさらに構成されている請求項１２記載の装置。
【請求項２４】
プロセッサによって実行されるときに信号処理デバイスに動作を実行させる符号化された命令を含む、非一時的コンピュータ可読媒体において、
前記動作は、
第１の人物に対する聴力検査結果に基づく聴力測定参照プロファイルを受信し、前記聴力測定参照プロファイルは、前記第１の人物の異なる周波数における聴覚感度を特徴付けることと、
前記第１の人物は、音楽、または、ビデオコンテンツに対する音声トラック、のうちの少なくとも１つを含む録音の編集者であるという表示をリスナに提供することと、
前記第１の人物とは異なる第２の人物に対する聴力検査結果に基づく聴力測定リスナプロファイルを受信し、前記聴力測定リスナプロファイルは、前記第２の人物の異なる周波数における聴覚感度を特徴付け、前記第２の人物は前記リスナであることと、
前記表示を提供することによって、前記第１の人物によって編集されているものとして示された、前記録音の符号化された入力音声信号を受信することと、
前記聴力測定参照プロファイルと前記聴力測定リスナプロファイルとの間の聴力測定差異に基づいて、前記入力音声信号を出力音声信号に変換し、前記出力音声信号が前記聴力測定差異を補償し、前記第２の人物が、前記録音の編集者として示される前記第１の人物により近く、音楽または音声トラックのうちの前記少なくとも１つを知覚することを可能にすることとを含む非一時的コンピュータ可読媒体。